(57)【要約】【課題】エプロン等の取り付け施工が容易となり、正確な位置に浴槽を浴槽防水パン上に設置できる浴槽の設置構造を提供する。【解決手段】浴槽防水パン２上に設置される浴槽３の底側のリブ３ｂに取り付けた脚部材４を、浴槽防水パン２の洗い場側に形成した突部５に位置決め固定する。【選択図】図４
2009089802.tif 000002
【特許請求の範囲】
【請求項１】
浴槽防水パン上に設置される浴槽の脚部を、前記浴槽防水パンに位置決め固定したことを特徴とする浴槽の設置構造。
【請求項２】
浴槽防水パン上に設置される浴槽の脚部を仮置きできる突部を、前記浴槽防水パン上の洗い場に設けたことを特徴とする浴槽の設置構造。
【発明の詳細な説明】
【技術分野】
【０００１】
本発明は、浴槽を浴槽防水パン上に設置する設置構造に関するものである。
【背景技術】
【０００２】
従来、特許文献１に開示されているように、エプロン取り付け時等に、補強フレーム上に設置される浴槽の洗い場側を上傾させて仮置きできるように、補強フレームから長いボルトを突出させ、このボルトの上端を浴槽の脚部に当接させて仮置き可能に構成したものが存在する。
【特許文献１】特開２００５−６５９８０号公報
【発明の開示】
【発明が解決しようとする課題】
【０００３】
上記特許文献１に開示されている構造は、補強フレーム上に浴槽を設置するタイプのものであり、補強フレームから長いボルトを突出させるものであるが、浴槽が浴槽防水パン上に設置されるタイプのものでは、浴槽防水パンには長いボルトを立設させることはできず、長いボルトを浴槽防水パンに埋め込むこともできず、特許文献１に開示されているような構造は採用することができないものであった。
また、浴槽防水パン上に浴槽が設置される構造では、従来、壁にバックハンガーを取り付けて浴槽を固定しており、浴槽防水パン上の正確な位置に浴槽を設置できない場合があり、エプロンなどの取り付けに支障をきたす場合があるという問題点があった。
【課題を解決するための手段】
【０００４】
本発明は、エプロンなどの取り付けが容易で、浴槽防水パン上の正確な位置に浴槽を設置できる浴槽の設置構造を提供することを目的の１つとし、この目的の少なくとも一部を達成するために、以下の手段をとった。
本発明の浴槽の設置構造は、浴槽防水パン上に設置される浴槽の脚部を、前記浴槽防水パンに位置決め固定したことを要旨とする。
【発明の効果】
【０００５】
浴槽の脚部を浴槽防水パン上に固定するものであるため、正確な位置に位置決めして浴槽を浴槽防水パン上に設置することができ、浴槽が正確な位置に設置されるためエプロンなどを取り付け易いものとなる。
【０００６】
また、本発明は、浴槽防水パン上に設置される浴槽の脚部を仮置きできる突部を、前記浴槽防水パン上の洗い場に設けた構成とすることもできる。
こうすれば、エプロンの取り付け施工時やメンテナンス時に、浴槽の脚部を浴槽防水パン上の突部上に載せて仮置きし、浴槽の洗い場側を上傾状にすることができて、施工が容易なものとなり、また、浴槽防水パンの底の点検等が容易なものとなる。
【発明を実施するための最良の形態】
【０００７】
次に、本発明を実施するための最良の形態を実施例を用いて説明する。
図１は、エプロンを取り付ける前の浴室ユニットの配置構成図であり、また図２は、図１の浴槽の底側に設けた脚部材の部分の拡大構成図である。
【０００８】
洗い場１ａを形成する洗い場防水パン１に、浴槽防水パン２が接続されており、この浴槽防水パン２は、洗い場１ａ側を除く外周に立壁２ａが一体形成されたものである。
この浴槽防水パン２上に設置される浴槽３は、上面に外側へ突出してフランジ部３ａが一体形成され、浴槽３の底側には垂下状にリブ３ｂが突出されており、このリブ３ｂに浴槽の脚を構成する脚部材４が取り付けられている。
また、この脚部材４を載せることのできる突部５が、浴槽防水パン２の洗い場１ａ側に上方へ突出して一体形成されている。
【０００９】
図２において詳細に説明すると、浴槽３の底側に垂下状に突出されているリブ３ｂは平面四角形状をなしており、このリブ３ｂに対して、ビス６を介し脚部材４が取り付け固定されている。
脚部材４は、リブ３ｂの外側に当接されてビス６で固定される外固定片４ａと、四角形状のリブ３ｂの内側に嵌め込まれる四角形状の内嵌合片４ｂと、内嵌合片４ｂの底側を構成する連結片４ｃと、連結片４ｃから下方側へ垂設された略四角形状の垂下片４ｄと、連結片４ｃの外固定片４ａ側から図示右側へ延出された延出片４ｅと、延出辺４ｅの先端で上傾された上傾片４ｆと、上傾片４ｆの上端で水平に右側へ延びる水平片４ｇと、水平片４ｇに形成されたボルト孔４ｉを有する固定部４ｈが一体形成されたものである。
【００１０】
このような脚部材４を浴槽３の底側のリブ３ｂに固定状に取り付けておく。なお、図１における浴槽３の図示左側のリブ３ｂには、延出片４ｅ，上傾片４ｆ，水平片４ｇ，固定部４ｈを有さない脚部材４を取り付け固定しておくことができる。
浴槽３の図示右側のリブ３ｂに取り付け固定した脚部材４は、脚部材４の延出片４ｅの右端側を、浴槽防水パン２の洗い場１ａ側に突出形成されている突部５上に載せることができ、この突部５上に脚部材４を載せた状態では、図１に示すように、浴槽３の洗い場１ａ側が上傾した状態となり、このようにして突部５上に脚部材４を載せて仮置きし、浴槽３の洗い場１ａ側を上傾状にすることができる。
この状態では、浴槽３のフランジ部３ａに容易にエプロン８の上端を連結することができ、エプロン８の取り付けが容易に行えるものである。
【００１１】
エプロン８を取り付けた後に、図示しない浴槽防水パン２の作業口から手を入れて、手で浴槽３を浴槽防水パン２の立壁２ａ側へ押圧すると、図３および図４の拡大図で示すように、突部５の左端に形成されている傾斜面５ａに沿って脚部材４の上傾片４ｆが下方へ移動し、脚部材４の延出片４ｅが突部５からずれ落ち、さらに浴槽３を立壁２ａ側へ押圧して、突部５に予め埋設されている埋込ナット５ｂの位置に脚部材４の固定部４ｈを整合させることができ、この状態で脚部材４のボルト孔４ｉ内に上方からボルト７を差し込んで、ボルト７を埋込ナット５ｂに締め付け、脚部材４を突部５に固定することができ、この固定状態では、浴槽３が正確な位置に位置決めされて固定されるように設定されている。また、この固定状態では、脚部材４の垂下片４ｄが浴槽防水パン２の上面に当接状態で設置される。
【００１２】
なお、延出片４ｅ，上傾片４ｆ，水平片４ｇ，固定部４ｈを有する脚部材４は、浴槽３の底側の洗い場１ａ側の１個所のリブ３ｂにのみ取り付けておき、その他の浴槽３の底側のリブには、延出片４ｅ，上傾片４ｆ，水平片４ｇ，固定部４ｈを有さない脚部材４を取り付けておくことができ、１個所の脚部材４の固定部４ｈをボルト７で突部５に固定することで、正確に浴槽３を浴槽防水パン２上の所定位置に位置決め固定することができるものである。
【００１３】
なお、メンテナンス時においても、図１のように脚部材４を浴槽防水パン２の突部５上に載せて、浴槽３の洗い場１ａ側を上傾させることにより、浴槽防水パン２の上面側を良好に点検することができ、メンテナンスも容易に行えるものである。
【００１４】
このように本例では、浴槽防水パン２の洗い場１ａ側に突部５を設けたことで、施工時あるいは点検時に浴槽３を上傾状に仮置きすることができるものとなり、また、浴槽に取り付けた脚部材４を突部５にボルト７で固定して、浴槽３を正確な位置に位置決めすることができ、施工が正確かつ容易に行えるものである。また、浴槽防水パン２に浴槽３を直接固定するため、従来のように、三方の壁にバックハンガーを取り付けて浴槽を固定する場合と比較して、固定金具の数も少なくて良い。
なお、突部５に脚部材４を位置決め固定する以外に、浴槽３の底側に設けられた脚部材４を、浴槽防水パン２上の何れかの位置に位置決め固定できるように構成することもできる。
【図面の簡単な説明】
【００１５】
【図１】浴槽を浴槽防水パン上に仮置きした状態の側面概略構成図である。
【図２】図１の浴槽の底側に取り付けられた脚部材の部分の拡大構成図である。
【図３】脚部材を浴槽防水パンの突部に位置決め固定した設置完了状態の概略構成図である。
【図４】図３の脚部材が固定された部分の要部拡大構成図である。
【符号の説明】
【００１６】
１  洗い場防水パン
１ａ  洗い場
２  浴槽防水パン
２ａ  立壁
３  浴槽
３ａ  フランジ部
３ｂ  リブ
４  脚部材
４ａ  外固定片
４ｂ  内嵌合片
４ｄ  垂下片
４ｅ  延出片
４ｆ  上傾片
４ｈ  固定部
４ｉ  ボルト孔
５  突部
６  ビス
７  ボルト
８  エプロン
【図１】
2009089802.tif 000003
【図２】
2009089802.tif 000004
【図３】
2009089802.tif 000005
【図４】
2009089802.tif 000006